(57)【特許請求の範囲】
【請求項１】
前面に遊技領域を形成してなる遊技盤と、
該遊技盤を装着する遊技機本体と、
該遊技機本体の前面側に開閉可能に設けられ、後側に設けた透視板装着枠の装着溝内に透明な透視板を起立状態で差し入れて該透視板を前記遊技盤の遊技領域の前側に所定間隔の対向状態で支持する扉体と、を備えてなる遊技機において、
前記扉体は、前記透視板装着枠の装着溝の溝幅を前記透視板の板厚より大きくして該透視板を前後方向に移動可能に許容すると共に該透視板を起立状態のまま前記遊技盤の前面側に向けて付勢手段で付勢し、さらに前記透視板の移動可能域を、扉体を閉じた状態での前記遊技盤の前面から透視板の後面までの間の距離ｄの基準値に対して該基準値を割り込む後寄りの位置から該基準値を超える前寄りの位置までの許容範囲に設定し、
一方、前記遊技盤の前面で遊技領域から外れた左側と右側の各上下部にスペーサ部材を装着させると共にこれらの各スペーサ部材の前面に前記透視板の後面に当接し得る凸部を突設し、さらにこの凸部の前端から前記遊技盤の前面までの距離ｄを前記基準値に合わせて同等に設定し、
前記扉体を開いた状態で前記付勢手段により前記後寄りの位置に押し込まれていた透視板が、扉体を閉じた状態で前記遊技盤の遊技領域外の前記各スペーサ部材のそれぞれの凸部に当接して前向きに押し返され前記付勢手段による付勢で前記凸部の前端に押圧当接しその押圧当接状態で距離ｄを基準値に保持するように構成したことを特徴とする遊技機。
【発明の詳細な説明】
【０００１】
【発明の属する技術分野】
この発明は、パチンコ機、アレンジボール等の遊技機に関する。
【０００２】
【従来の技術】
従来例を図１８により説明する。図１８はパチンコ機の遊技盤とガラス板との関係を示す断面図である。パチンコ機は、遊技盤面１０７ａを前面に有する遊技盤１０７を固定状に設けた遊技機本体（図示省略）と、該遊技機本体にヒンジ機構（図示省略）を介してその本体の前面側（図１８において左側）を開閉可能に設けた扉体１２０とを備えている。扉体１２０には、透視可能な内外（すなわち図１８において右左）２枚のガラス板１３２がガラス板装着枠１２６を介して支持されている。扉体１２０の閉鎖（図１８の状態）によって、遊技盤１０７の前方の遊技者は、両ガラス板１３２を透して遊技盤面１０７ａを視認することができる。
【０００３】
【発明が解決しようとする課題】
ところで、各ガラス板１３２は、ガラス板装着枠１２６の内外の各装着溝１２６ａにそれぞれ周縁部を差し入れることによって、該ガラス板装着枠１２６に支持されている。また、各装着溝１２６ａの溝幅１２６ｗは、ガラス板１３２の差し入れ作業性等を考慮し、ガラス板１３２の板厚１３２ｔに所定のクリアランスＣを加えた寸法に設定される。
【０００４】
したがって、各ガラス板１３２が前記クリアランスＣの範囲内で前後方向すなわち板厚方向（図１８において左右方向）に「がたつき」を生じる、いわゆるがたつくことになる。したがって、ガラス板１３２とくに遊技盤面１０７ａに面する内側のガラス板（内ガラス板という）１３２のがたつきによって、扉体１２０の閉鎖時における遊技盤１０７の遊技盤面１０７ａと該内ガラス板１３２との間の距離ｄが変化することになる。
【０００５】
また、遊技機本体に扉体１２０を開閉可能に取り付けている扉体用ヒンジ機構（図１における符号、２２参照）におけるがたつきによって、ガラス板装着枠１２６ががたつく。このことによっても、遊技盤１０７の遊技盤面１０７ａと内ガラス板１３２との間の距離ｄ（図１８参照）が、パチンコ機の１台毎に異なったり、同一の台においても扉体１２０の上部と下部とで異なることがあった。また、扉体１２０の施錠装置（図１における符号、２４参照）におけるがたつきや、不心得者の扉体１２０を引っ張る行為の影響を受けることによっても、ガラス板装着枠１２６ががたつくため、遊技盤１０７の遊技盤面１０７ａと内ガラス板１３２との間の距離ｄ（図１８参照）を一定に保つことが困難であった。
【０００６】
なお、遊技盤１０７の遊技盤面１０７ａと内ガラス板１３２との間の距離ｄは、通常、経験や試験等で定めた寸法に設定される。例えば、遊技球いわゆるパチンコ球の球径が１１ｍｍであり、遊技盤面１０７ａに突出する釘（誘導釘とも呼ばれている）１１７の最大高さが１８ｍｍである場合には、前記距離ｄは基準値、例えば１９ｍｍに設定される。この場合、前記距離ｄが基準値の１９ｍｍより小さすぎても逆に大きすぎても、パチンコ球の流れが不安定となる。例えば、前記距離ｄが小さすぎる場合には、内ガラス板１３２にパチンコ球が当たる頻度が増加する。また、逆に大きすぎる場合には、パチンコ球が遊技盤面１０７ａ上で詰まるといったいわゆる「球噛み現象」が発生しやすくなる。このような球噛み現象が甚だしい場合には、遊技を中断せざるを得ない状態に陥るため、前記距離ｄを一定に保つことは重要である。
【０００７】
本発明が解決しようとする課題は、遊技盤の遊技盤面と透視板との間の距離を一定に保つことのできる遊技機を提供することにある。
【０００８】
【課題を解決するための手段】
前面に遊技領域を形成してなる遊技盤と、
該遊技盤を装着する遊技機本体と、
該遊技機本体の前面側に開閉可能に設けられ、後側に設けた透視板装着枠の装着溝内に透明な透視板を起立状態で差し入れて該透視板を前記遊技盤の遊技領域の前側に所定間隔の対向状態で支持する扉体と、を備えてなる遊技機において、
前記扉体は、前記透視板装着枠の装着溝の溝幅を前記透視板の板厚より大きくして該透視板を前後方向に移動可能に許容すると共に該透視板を起立状態のまま前記遊技盤の前面側に向けて付勢手段で付勢し、さらに前記透視板の移動可能域を、扉体を閉じた状態での前記遊技盤の前面から透視板の後面までの間の距離ｄの基準値に対して該基準値を割り込む後寄りの位置から該基準値を超える前寄りの位置までの許容範囲に設定し、
一方、前記遊技盤の前面で遊技領域から外れた左側と右側の各上下部にスペーサ部材を装着させると共にこれらの各スペーサ部材の前面に前記透視板の後面に当接し得る凸部を突設し、さらにこの凸部の前端から前記遊技盤の前面までの距離ｄを前記基準値に合わせて同等に設定し、
前記扉体を開いた状態で前記付勢手段により前記後寄りの位置に押し込まれていた透視板が、扉体を閉じた状態で前記遊技盤の遊技領域外の前記各スペーサ部材のそれぞれの凸部に当接して前向きに押し返され前記付勢手段による付勢で前記凸部の前端に押圧当接しその押圧当接状態で距離ｄを基準値に保持するように構成した遊技機を提供する。
【０００９】
前記本発明が解決しようとする課題は、特許請求の範囲の欄に記載された構成を要旨とする遊技機により解決することができる。すなわち、特許請求の範囲の請求項１に記載された遊技機によると、透視板装着枠を介して透視板を支持した扉体によって、遊技機本体の前面側が開閉される。また、扉体の閉鎖によって、遊技盤の遊技盤面が透視板を透して視認可能となる。ところで、扉体の閉鎖時には、遊技盤と透視板とがスペーサ部材を介して間接的に当接し合うことにより、遊技盤の遊技盤面と透視板との間の距離を一定に保つことができる。
【００１０】
【発明の実施の形態】
［実施の形態１］
この発明の実施の形態１を図面にしたがって説明する。実施の形態１は、遊技機の一つであるパチンコ機に本発明を適用したものを例示する。また、パチンコ機の基本的な構成を述べた後で要部について詳述する。
【００１１】
まず、パチンコ機の基本的な構成を述べる。パチンコ機の基本的な構成については、例えば同一出願人が先に提案した特開平１０−２７７２３２号公報に開示されたものとほとんど同様であるから簡単に述べるにとどめる。図１はパチンコ機を扉体の開放状態で示す斜視図である。説明の都合上、パチンコ機の遊技者側に向かう側を前方、反対側を後方と称する。なお、図面における方位は各図に矢印で示す通りに定める。
【００１２】
図１に示すように、パチンコ機１は、大別すると、遊技機本体２と扉体２０とを備えている。遊技機本体２から説明する。遊技機本体２は、外枠３とベース枠５とを備えている。外枠３は、ほぼ矩形枠状に形成されている。その前面の下部には、ベース受板３Ａが設けられている。
【００１３】
また、ベース枠５は、ほぼ方形の額縁状に形成されている。ベース枠５は、前記外枠３に対してベース枠用ヒンジ機構６を介して回動可能すなわち外枠３の前面側に開閉可能に支持されている。前記ベース枠５には、ほぼ四角形板状で遊技盤面７ａを前面に有する遊技盤７が支持されている。遊技盤面７ａには、ほぼ平帯状をなす案内レール８が装着されている。案内レール８により遊技領域および発射案内路が形成されている。なお、図示はしないが、遊技盤面７ａの案内レール８内の遊技領域には、各種の入賞装置、役物装置、図柄表示装置、アタッカ装置、ゲート口、風車器、誘導釘等が配置されている。
【００１４】
前記ベース枠５の下部には、前板１１がヒンジ機構（図示省略）を介して回動可能すなわちベース枠５の前面側に開閉可能に支持されている。前板１１の裏面には、ベース枠５に対し前板１１を閉じ状態に保持する施錠金具１２が配設されている。また、前板１１の前面には上皿１３が設けられている。また、ベース枠５の下端部には、球発射用ハンドル装置１４、下皿１５等が設けられている。なお、図示はしないが、ベース枠５の裏面には、裏セット部材、球タンク、タンクレール、球払出装置、制御基板ボックス、パネルカバー等が配置されている。
【００１５】
次に、扉体２０を説明する。扉体２０は、前記ベース枠５に対して扉体用ヒンジ機構２２を介して回動可能すなわち前記遊技機本体２のベース枠５の前面側に開閉可能に支持されている。この扉体２０は、大別すると、例えば金属製の扉支持体２１と、例えば樹脂製の扉装飾体３５とを備えている。なお、前記扉体用ヒンジ機構２２は、扉支持体２１に配置されている。
【００１６】
前記扉支持体２１の中央部には、前記遊技盤７の遊技盤面７ａの遊技領域を露出可能なほぼ円形の開口窓２３が形成されている。また、扉支持体２１の自由端側の裏面には、例えば、上中下の計３つの扉施錠用フック２５が上下方向にスライド可能に組み付けられた扉体用施錠装置２４が装着されている。前記ベース枠５に対し扉体２０が閉じられたときには、扉施錠用フック２５がベース枠５に形成された係合穴５ａに係合することによって、ベース枠５に対し扉体２０が閉鎖状態に施錠される。なお、ベース枠５に設けられた鍵穴５ｂに対し鍵（図示省略）を挿入して、その鍵を回動操作することにより、係合穴５ａに対する扉施錠用フック２５の係合を解除いわゆる解錠することができる。
【００１７】
前記扉支持体２１の裏面には、ガラス板装着枠２６が配設されている。ガラス板装着枠２６は、開口窓２３の下方において左右方向に延びる金属製の下枠材２７と、その下枠材２７の左右両端部から上方に延びる左右の金属製の両側枠材２８と、その両側枠材２８の上端部の相互間に架設された上枠材２９とを備えている。なお、図２に扉体を省略して示すパチンコ機の正面図、図３に図２のIII−III線断面図、図４に図２のIV−IV線断面図が示されている。
【００１８】
図３および図４に示すように、前記遊技盤７は、前記ベース枠５の裏面に設けられた支持枠９に対し着脱可能に支持されている。また、前記ガラス板装着枠２６の下枠材２７及び両側枠材２８には、それぞれ内外（すなわち図３において左右）２条の装着溝２７ａ，２８ａが形成されている。両側枠材２８（図４参照）の相互間の上端開口部がガラス板差し入れ口３９（図３参照）となっている。
【００１９】
前記ガラス板装着枠２６には、ほぼ四角形板状をなす前後２枚の透視可能なガラス板３２が支持されている。すなわち、上枠材２９（後述する）により前記ガラス板差し入れ口３９（図３参照）を開放した状態において、該ガラス板差し入れ口３９から各ガラス板３２の左右の両側縁部が両側枠材２８の各装着溝２８ａ（図４参照）に差し入れられ、その各ガラス板３２の下縁部が下枠材２７の各装着溝２７ａ（図３参照）に差し入れられている。また、各ガラス板３２は、例えば、無色透明なガラス板であるが、樹脂製の透視可能な板材に代えることができる。なお、ガラス板３２は本明細書でいう「透視板」に相当し、また、ガラス板装着枠２６は本明細書でいう「透視板装着枠」に相当している。また、後側すなわち遊技盤側（図３において左側）に配置されるガラス板３２を「内ガラス板」と称し、前側すなわち反遊技盤側（図３において右側）に配置されるガラス板３２を「外ガラス板」と称する。
【００２０】
図１に示すように、前記ガラス板装着枠２６の両側枠材２８の上端部には、前記ガラス板差し入れ口３９を開閉する樹脂製の上枠材２９が次に述べるように設けられている。なお、上枠材２９は、ガラス板装着枠２６の両側枠材２８に対し左右対称状に設けられているから、左側部分について説明し、右側部分についての説明は省略する。図５はガラス板装着枠の上枠体を一部破断して示す左側面図である。
【００２１】
図５に示すように、前記側枠材２８の上端部の外側面に支持ピン３１が突出されている。一方、前記上枠材２９の左右両端部には、長細状のスライド孔３０ａを有するアーム片３０が設けられている。アーム片３０のスライド孔３０ａは、前記支持ピン３１に対しスライド可能にかつ回動可能に係合されている。また、上枠材２９には、前記両側枠材２８の各装着溝２８ａと連続状をなす各装着溝２９ａ（図３参照）が形成されている。
【００２２】
前記上枠材２９は、図５に実線２９で示す閉止位置に配置されたときには、前記ガラス板差し入れ口３９を閉じるとともに、各装着溝２９ａに各ガラス板３２の上縁部を受け入れる（図３参照）。また、上枠材２９をスライドさせて図５に二点鎖線２９（１）で示すように引上げた後、支持ピン３１の回りに回動させて図５に二点鎖線２９（２）で示す開放位置に配置することにより、前記ガラス板差し入れ口３９（図３参照）を開放させることができる。
【００２３】
上記のようにガラス板装着枠２６を介して２枚のガラス板３２を支持した扉体２０が、遊技機本体２（図１参照）に閉鎖されることによって、遊技盤７の遊技盤面７ａが２枚のガラス板３２を透して視認可能となる（図３及び図４参照）。このため、遊技盤７の前方の遊技者は、両ガラス板３２を透して遊技盤面７ａを視認することができる。
【００２４】
また、図３及び図４に示すように、前記扉体２０における扉装飾体３５は、前記扉支持体２１の前面側に取り付けられている。扉装飾体３５は、扉支持体２１の前記開口窓２３（図１参照）の周囲を取り囲むように配置されている。扉装飾体３５の表面側には、凹凸の装飾が施されている。なお、図９に扉体を背面側から見た斜視図、図１０に扉体の背面図が示されている。
【００２５】
図９および図１０に示すように、前記扉装飾体３５において前記ガラス板装着枠２６の両側枠より内側すなわち開口窓２３内に突出する部分（図９および図１０に符号、３６を付す）には、所定の高さの突条３７が左右対称状にかつほぼジグザク状に形成されている。突条３７は、前記ガラス板装着枠２６に保持された外ガラス板（図３において右側のガラス板）３２の前方（図３において右方）への移動を制限可能に形成されている。なお、突条３７の突出端面は、例えば、図８に示すように、前記上枠材２９の前側（図８において左側）の装着溝２９ａにおける前側の溝壁面（図８に符号、２９ａ１を付す）と同一平面上に位置する平坦面で形成されている。
【００２６】
次に、上記したパチンコ機１の要部構成について説明する。図３および図４に示すように、前記ガラス板装着枠２６の各枠材２７，２８，２９の各装着溝２７ａ，２８ａ，２９ａには、図８に示すように、各ガラス板３２が板厚方向（図８において左右方向）に関し所定のクリアランス（すなわち移動量）Ｃ１，Ｃ２をもって移動可能に支持されている。しかして、後側のクリアランスＣ２は、前側のクリアランスＣ１よりも大きい値に設定されている。
【００２７】
図１０に示すように、前記ガラス板装着枠２６の両側枠材２８には、付勢手段として例えば、上中下の計３つの弾性部材４０がそれぞれ配置されている。図１１に弾性部材の取付け部分を示す斜視図、図１２に同じく分解斜視図が示されている。弾性部材４０は、例えば、金属製の板ばね材によって形成されている。この弾性部材４０は、図１２に示すように、ほぼチャンネル状に折り曲げられることによって、基板部４１の前後に両側板部４２，４３が形成されている。さらに、後側の側板部４３から基板部４１にわたってほぼＬ字状の切込み溝４４が形成され、これによって後側の側板部４３に形成された弾性片４５が外方へ傾斜状に折り曲げられている。また、基板部４１には取付孔４１ａが形成されている。また、前記側枠材２８における装着溝２８ａの相互間の中間板部２８Ａには、弾性部材４０の取付孔４１ａに対応する支持孔（図示省略）が形成されている。
【００２８】
上記弾性部材４０は、図１０に示すように、前記ガラス板装着枠２６に対するガラス板３２の差し入れに先立って、前記両側枠材２８に取り付けられている。詳しくは、弾性部材４０は、図１１に示すように、側枠材２８に対し支持孔（図示省略）および取付孔４１ａを利用してリベット４８によるかしめ付けによって取り付けられている。なお、最上部における弾性部材４０は、前記支持ピン３１（図５参照）を取り付けるリベット４８を流用して取り付けられている。
【００２９】
しかして、図１１に示すように、前記弾性部材４０の基板部４１は、前記側枠材２８の中間板部２８Ａに面接触されている。また、弾性部材４０の前側の側板部４２は、前記側枠材２８における前側（図１１において左側）の装着溝２８ａの後側の溝壁面２８ａ２に面接触されている。また、弾性部材４０の弾性片４５を除く後側の側板部４３は、前記側枠材２８における後側（図１１において右側）の装着溝２８ａの前側の溝壁面２８ａ１に面接触されている。そして、弾性片４５は、前記側枠材２８における後側の装着溝２８ａ内にほぼ自由状態で配置される。なお、弾性部材４０は本明細書でいう「弾性手段」に相当し、弾性片４５は本明細書でいう「弾性変形部」に相当する。また、弾性部材４０は、両側枠材２８に対しリベットによるかしめ付けの他、接着あるいはねじ止めあるいはクリップ等の取付手段によって取り付けることもできる。
【００３０】
上記弾性部材４０を取り付けた前記ガラス板装着枠２６（図９及び図１０参照）に対して、各ガラス板３２が前に述べたようにして装着される（図３及び図４参照）。そして、前記ガラス板装着枠２６の側枠材２８に対する内ガラス板３２の差し入れにより、該ガラス板３２によって弾性部材４０の弾性片４５が傾倒方向に弾性変形させられる（図８参照）。この弾性片４５の弾性すなわち弾性復元力によって、内ガラス板３２が側枠材２８における後側（図８において右側）の装着溝２８ａの後側の溝壁面２８ａ２に面接触させられる。このようにして、各弾性部材４０の弾性片４５は、ガラス板装着枠２６に対し内ガラス板３２をフローティング支持している。
【００３１】
図２および図６に示すように、前記遊技盤７の遊技盤面７ａにおいて、前記扉体２０（図１参照）によって隠蔽される部分すなわち前記遊技領域外の部分には、ほぼ板状のスペーサ部材５０が設けられている。本実施の形態の場合、図２に示すように、左側に上下２個、右側に上下に連続する１個のスペーサ部材５０が配置されている。各スペーサ部材５０の前面５０ａには、左上部、左下部、右上部、右下部に位置する計４個のほぼ半球状の凸部５１が突出されている（図８参照）。また、各スペーサ部材５０の凸部５１を含む肉厚５０ｔ（図８参照）は、前記遊技盤７の遊技盤面７ａと内ガラス板３２との間の所定の距離ｄ（図７参照）に見合う寸法に設定されている。
【００３２】
上記した遊技盤７において、扉体２０が図８に示す状態から図６および図７に示すように閉鎖されたときには、各スペーサ部材５０の凸部５１（図７参照）に内ガラス板３２（詳しくは、図７において右側のガラス板の後側面）が当接したのち、弾性部材４０（図１１参照）の弾性片４５の弾性変形を利用して内ガラス板３２が前方（図６及び図７において左方）へ押しやられる状態となる。これにより、図７に示すように、弾性部材４０（図１１参照）の弾性片４５の弾性変形を利用して、遊技盤７と内ガラス板３２とがスペーサ部材５０を介して間接的に当接し合うことにより、遊技盤７の遊技盤面７ａと内ガラス板３２との間の距離ｄを盤面全体にわたって一定に保つことができる。なお、その距離ｄは、ガラス板装着枠２６の後側のクリアランスＣ２（図８参照）の範囲内において一定に保つことができる。したがって、遊技盤７の遊技盤面７ａと内ガラス板３２との間でのパチンコ球の流れを安定化することができ、ひいては、ガラス板３２にパチンコ球が当たる頻度の増加や球噛み現象の発生といった不具合を防止することができる。
【００３３】
また、ガラス板装着枠２６（図９参照）の側枠材２８に設けられた弾性部材４０の弾性片４５（図１１参照）が、該側枠材２８の後側（図１１において右側）の装着溝２８ａ内という限られたスペースにおいて、内ガラス板３２（図８参照）を付勢するものである。したがって、ガラス板装着枠２６の側枠材２８に弾性部材４０を簡単かつコンパクトに配置することができる。
【００３４】
また、図７に示すように、各スペーサ部材５０の凸部５１と内ガラス板３２とが点接触状に当接するように構成したことにより、扉体２０の開閉にともなうスペーサ部材５０と内ガラス板３２とが擦れ合う面積を削減することができ、扉体２０の開閉をスムーズに行うことができる。
【００３５】
なお、前記ガラス板装着枠２６（図７参照）において、側枠材２８の後側（図７において右側）の装着溝２８ａにおける前側（図７において左側）の溝壁面２８ａ１は、上枠材２９における当該溝壁面２９ａ１よりも前方（図７において左方）へ所定量Ｑをもって引き下がった位置に形成されている。これにより、前記所定量Ｑによって形成される空間部分に弾性部材４０の弾性片４５を含む後側の側板部４３（図１１参照）が収容可能となるため、前記内ガラス板（図７において右側のガラス板）３２を、上枠材２９における後側の装着溝２９ａの前側の溝壁面２９ａ１および下枠材２７における当該溝壁面（図示省略）に当接するまで移動させることができる。
【００３６】
［実施の形態２］
本発明の実施の形態２を説明する。実施の形態２は、上記した実施の形態１の一部に変更を加えたものであるからその変更部分について詳述し、重複する説明は省略する。なお、図１３はパチンコ機の遊技盤とガラス板とスペーサ部材との関係を示す側断面図、図１４は扉体の閉鎖時の要部を示す断面図、図１５は扉体の開放時の要部を示す断面図、図１６は扉体を背面側から見た斜視図、図１７は扉体の背面図である。また、本実施の形態においては、図１５および図１６に示すように、前記実施の形態１における弾性部材４０は排除されている。
【００３７】
図１３に示すように、ガラス板装着枠２６を設けた扉支持体２１が、扉装飾体３５に対し両ガラス板３２の板厚方向と同方向（図１３において左右方向）に移動可能に設けられている。図１６および図１７に示すように、扉体用ヒンジ機構２２（図１参照）および扉体用施錠装置２４は、扉装飾体３５に配置されている。
【００３８】
図１５に示すように、前記扉装飾体３５の背面には、ボス部３５ａが一体形成されている。ボス部３５ａの突出端部には、段差面３５ｂを介して小径軸部３５ｃが形成されている。ボス部３５ａの小径軸部３５ｃには、扉支持体２１に形成されたネジ挿通孔２１ａが嵌合されている。さらに、ボス部３５ａには、小径軸部３５ｃの端面側（図１５において左端面）から止めネジ６０が締着されており、扉支持体２１の抜け外れが阻止されている。これにより、扉支持体２１が、ボス部３５ａの段差面３５ｂと止めネジ６０の頭部６ａとの間において、各ガラス板３２の板厚方向と同方向（図１５において左右方向）に所定の移動量Ｍをもって移動可能に支持されている。
【００３９】
前記扉装飾体３５のボス部３５ａの段差面３５ｂと扉支持体２１との間には、該ボス部３５ａの小径軸部３５ｃに嵌合されたコイルスプリングからなるスプリング６２が圧縮状態で介在されている。このスプリング６２の弾性すなわち弾性復元力によって、扉装飾体３５に対し扉支持体２１が後方（図１５において右方）へ付勢され、止めネジ６０の頭部６０ａに扉支持体２１が押付けられている（図１５参照）。なお、このスプリング６２を含む弾性支持部（符号、６４を付す）は、図１７に示すように、左上部、左下部、右上部、右下部の計４組設けられており、扉装飾体３５に対し扉支持体２１をフローティング支持している。なお、スプリング６２は本明細書でいう「弾性手段」に相当する。また、扉装飾体３５は本明細書でいう「扉体の支持側の部材」に相当する。
【００４０】
上記した遊技盤７において、扉体２０が図１５に示す状態から図１３および図１４に示すように閉鎖されたときには、各スペーサ部材５０の凸部５１に内ガラス板３２（詳しくは、図１４において右側のガラス板の後側面）が当接したのち、該内ガラス板３２が上枠材２９における後側の装着溝２９ａの前側の溝壁面２９ａ１および下枠材２７における当該溝壁面（図示省略）に当接するまで移動する。さらに、スプリング６２の弾性変形を利用して、内ガラス板３２を含む扉支持体２１が前方（図１４において左方）へ押しやられる状態となる。これにより、図１４に示すように、スプリング６２の弾性変形を利用して、遊技盤７と内ガラス板３２とがスペーサ部材５０を介して間接的に当接し合うことにより、遊技盤７の遊技盤面７ａと内ガラス板３２との間の距離ｄを一定に保つことができる。なお、その距離ｄは、扉装飾体３５に対する扉支持体２１の移動量Ｍ（図１５参照）の範囲内において一定に保つことができる。
【００４１】
したがって、実施の形態２によっても、上記実施の形態１とほぼ同等の作用効果が得られる。また、ガラス板装着枠２６を備えた扉支持体２１が、扉装飾体３５に対してガラス板３２とともに移動可能にかつスプリング６２の弾性により付勢した状態で設けられている（図１５参照）。したがって、扉支持体２１の移動量Ｍひいては内ガラス板３２の移動量を広範囲に設定することが可能である。
【００４２】
本発明は前記実施の形態に限定されるものではなく、本発明の要旨を逸脱しない範囲における変更が可能である。例えば、本発明は、パチンコ機１以外の遊技機に適用することも可能である。また、透視板支持枠に支持される透視板の枚数は、１枚あるいは３枚以上であってもよい。また、スペーサ部材５０（図８及び図１５参照）は、遊技盤７に代えて、内ガラス板３２に設けることもできる。また、スペーサ部材５０は、遊技盤７および内ガラス板３２の双方に設けることもできる。また、弾性部材４０（図１２参照）は、ガラス板装着枠２６に代え、内ガラス板３２に設けることも可能である。また、ガラス板装着枠２６に対して弾性部材４０（図１２参照）の弾性片４５に相当する弾性片を一体形成することも考えられる。また、弾性手段には、板ばね製の弾性部材４０、スプリング６２の他、ゴム製の弾性部材を使用することができる。
【００４３】
【発明の効果】
以上述べたように、この発明によれば、扉体の閉鎖時には、遊技盤と透視板とがスペーサ部材を介して間接的に当接し合うことにより、遊技盤の遊技盤面と透視板との間の距離を一定に保つことができる。また、透視板の後面に各スペーサ部材の凸部が当接するように構成したことにより、扉体の開閉にともなうスペーサ部材と透視板とが擦れ合う面積を削減することができるから、扉体の開閉をスムーズに行うことができる。
【図面の簡単な説明】
【図１】この発明の実施の形態１にかかるパチンコ機を扉体の開放状態で示す斜視図である。
【図２】扉体を省略して示すパチンコ機の正面図である。
【図３】図２のＩＩＩ−ＩＩＩ線断面図である。
【図４】図２のＩＶ−ＩＶ線断面図である。
【図５】ガラス板装着枠の上枠体を一部破断して示す左側面図である。
【図６】パチンコ機の遊技盤とガラス板とスペーサ部材との関係を示す側断面図である。
【図７】扉体の閉鎖時の要部を示す断面図である。
【図８】扉体の開放時の要部を示す断面図である。
【図９】扉体を背面側から見た斜視図である。
【図１０】扉体の背面図である。
【図１１】弾性部材の取付け部分を示す斜視図である。
【図１２】弾性部材の取付け部分を示す分解斜視図である。
【図１３】この発明の実施の形態２にかかるパチンコ機の遊技盤とガラス板とスペーサ部材との関係を示す側断面図である。
【図１４】扉体の閉鎖時の要部を示す断面図である。
【図１５】扉体の開放時の要部を示す断面図である。
【図１６】扉体を背面側から見た斜視図である。
【図１７】扉体の背面図である。
【図１８】従来例にかかるパチンコ機の遊技盤とガラス板との関係を示す断面図である。
【符号の説明】
１  …パチンコ機（遊技機）
２  …遊技機本体
７  …遊技盤
２０…扉体
２６…ガラス板装着枠（透視板装着枠）
２７ａ…装着溝
２８ａ…装着溝
２９ａ…装着溝
３２…ガラス板（透視板）
４０…弾性部材（付勢手段）
５０…スペーサ部材
５１…凸部
【図１】
0004114092.tif 000002
【図２】
0004114092.tif 000003
【図３】
0004114092.tif 000004
【図４】
0004114092.tif 000005
【図５】
0004114092.tif 000006
【図６】
0004114092.tif 000007
【図７】
0004114092.tif 000008
【図８】
0004114092.tif 000009
【図９】
0004114092.tif 000010
【図１０】
0004114092.tif 000011
【図１１】
0004114092.tif 000012
【図１２】
0004114092.tif 000013
【図１３】
0004114092.tif 000014
【図１４】
0004114092.tif 000015
【図１５】
0004114092.tif 000016
【図１６】
0004114092.tif 000017
【図１７】
0004114092.tif 000018
【図１８】
0004114092.tif 000019